(57)【要約】【課題】使用環境に変化が生じても適切なメンテナンス時期を検知することのできる除電装置を提供する。【解決手段】対向電極２１とグランド２４との間に流れる電流のイオン電流値と基準レベルである基準電流値との比較を行う判定部４０と、放電針２０の先端側にある対向電極に２１に直接且つ着脱可能に設けられたノズル２２の装着の有無によって基準電流値を調整する制御部３０とを備え、判定部４０にて基準電流値とイオン電流値とを比較することによってノズル２２の装着の装着時と非装着時といった使用環境の変更があった場合でも適切なメンテナンス時期を検知している。【選択図】図１
2009110814.tif 000002
【特許請求の範囲】
【請求項１】
高電圧が放電針に印加され、該放電針と対向電極との間にイオンを生成して除電対象物の除電を行う除電装置であって、
前記対向電極とグランドラインとの間に流れる電流の測定電流値と基準レベルの基準電流値との比較を行う比較手段と、
前記基準電流値を調整する調整手段と
を備えたことを特徴とする除電装置。
【請求項２】
請求項１に記載の除電装置において、
前記調整手段は、前記放電針の先端側に着脱可能に設けられたノズルの装着の有無によって前記基準電流値を調整することを特徴とする除電装置。
【請求項３】
請求項１または２に記載の除電装置において、
前記比較手段により前記測定電流値が前記基準電流値以下と判定した場合に、報知を行う報知手段を備えたことを特徴とする除電装置。
【請求項４】
請求項１〜３のいずれか一項に記載の除電装置において、
前記調整手段は、初期状態における測定電流値の所定割合分の電流値を基準電流値とすることを特徴とする除電装置。
【請求項５】
請求項１〜３のいずれか一項に記載の除電装置において、
前記調整手段は、操作手段の操作時における測定電流値の所定割合分の電流値を基準電流値とすることを特徴とする除電装置。
【請求項６】
請求項５に記載の除電装置において、
前記所定割合を変更可能な変更手段を備えることを特徴とする除電装置。
【請求項７】
請求項１〜３のいずれか一項に記載の除電装置において、
複数の操作スイッチを備え、複数の前記操作スイッチにそれぞれ対応する設定用電流値を記憶手段に記憶し、
前記調整手段は、前記操作スイッチに対応する設定用電流値を前記記憶手段から読み出して前記基準電流値とすることを特徴とする除電装置。
【請求項８】
請求項１〜３のいずれか一項に記載の除電装置において、
操作スイッチの操作回数に対応する設定用電流値を記憶手段に記憶し、
前記調整手段は、前記操作スイッチに対応する設定用電流値を前記記憶手段から読み出して前記基準電流値とすることを特徴とする除電装置。
【発明の詳細な説明】
【技術分野】
【０００１】
本発明は、高電圧を放電針に印加することでイオンを生成し、生成されたイオンを除電対象物に供給することにより除電を行うようにした除電装置に関する。
【背景技術】
【０００２】
従来、物体に働く摩擦力、機械的力、電気的力等で物体に帯電した静電気をイオンで中和して静電気を除去する除電装置がある。例えば特許文献１には、針状の放電電極と対向電極との間に高電圧を印加して、空気中にコロナ放電を発生させ、これにより生じるイオンを放電針の周りを通過させるエアによって対象物に供給することにより除電を行う除電装置が開示されている。
【０００３】
この種の除電装置は、例えば放電針に周囲空気中の埃等が付着したり、長期仕様により放電針の先端が摩耗したりすると、コロナ放電が発生し難くなり、除電能力が低下する。従って、放電針の清掃や交換等のメンテナンスを行う必要がある。このメンテナンス時期を判断するために、除電装置には判定回路が備えられている。この判定回路は、例えば対向電極とグランドとの間に接続した抵抗に流れる電流（イオン電流）を検出し、検出したイオン電流値と所定の基準電流値とを比較する。そして、コロナ放電が発生し難くなるとイオン電流値が低下することから、この比較結果に基づいてイオン電流値が基準電流値より低くなったときに放電劣化が生じたとして、メンテナンスが必要である旨を報知ようになっている。
【特許文献１】実開平６−６８３９８号公報
【発明の開示】
【発明が解決しようとする課題】
【０００４】
ところで、除電装置は、その使用目的（例えば局所的な除電）に合わせてノズルを装着して使用することがある。
しかしながら、ノズルの装着時と非装着時とでイオン電流値が異なる。このため、異常を報知するタイミングがずれる、つまりメンテナンス時期であるということを適切な時期に報知することができないこととなる。またこのようなことは、ノズルの装着の有無に関わらず、使用環境の比較的大きな変化に対しても同様に起こり得る。
【０００５】
本発明は、上記課題を解決するためになされたものであって、その目的は、使用環境に変化が生じても適切なメンテナンス時期を検知することのできる除電装置を提供することにある。
【課題を解決するための手段】
【０００６】
上記課題を解決するために、請求項１に記載の発明は、高電圧が放電針に印加され、該放電針と対向電極との間にイオンを生成して除電対象物の除電を行う除電装置であって、前記対向電極とグランドラインとの間に流れる電流の測定電流値と基準レベルの基準電流値との比較を行う比較手段と、前記放電針の先端側に着脱可能に設けられたノズルの装着の有無によって前記基準電流値を調整する調整手段とを備えたことをその要旨とする。
【０００７】
この構成では、対向電極とグランドラインとの間に流れる電流の測定電流値と基準レベルの基準電流値との比較を行う比較手段と、基準電流値を調整する調整手段とを備えた。これにより、基準電流値を調整可能であり、使用環境によって変化する測定電流値に対応することが可能となる。そのため、比較手段にて基準電流値と測定電流値とを比較することによって使用環境に関わらず適切なメンテナンス時期を検知することができる。
【０００８】
請求項２に記載の発明は、請求項１に記載の除電装置において、前記調整手段は、前記放電針の先端側に着脱可能に設けられたノズルの装着の有無によって前記基準電流値を調整することをその要旨とする。
【０００９】
この構成では、調整手段は、放電針の先端側に着脱可能に設けられたノズルの装着の有無によって自動若しくは手動で基準電流値を調整したことで、ノズル装着の有無に対応して適切にメンテナンス時期を検知することができる。
【００１０】
請求項３に記載の発明は、請求項１または２に記載の除電装置において、前記比較手段により前記測定電流値が前記基準電流値以下と判定された場合に報知を行う報知手段を備えたことをその要旨とする。
【００１１】
この構成では、比較手段により測定電流値が基準電流値以下と判定された場合に、報知を行う報知手段を備えたことでメンテナンス時期を報知することができる。
請求項４に記載の発明は、請求項１〜３のいずれか一項に記載の除電装置において、前記調整手段は、初期状態における測定電流値の所定割合分の電流値を基準電流値とすることをその要旨とする。
【００１２】
この構成では、調整手段は、初期状態における測定電流値の所定割合分の電流値を基準電流値としたことで、的確且つ容易に基準電流値を設定することが可能となる。
請求項５に記載の発明は、請求項１〜３のいずれか一項に記載の除電装置において、前記調整手段は、操作手段の操作時における測定電流値の所定割合分の電流値を基準電流値とすることをその要旨とする。
【００１３】
この構成では調整手段は、操作手段の操作時における測定電流値の所定割合分の電流値を基準電流値としたことで、例えば使用者が操作手段を操作してその操作に従って的確且つ容易に基準電流値を設定することが可能となる。使用者が操作手段を操作するという工程を盛り込むことによって、使用者が基準電流値を所望のタイミングで設定することができる。
【００１４】
請求項６に記載の発明は、請求項５に記載の除電装置において、前記所定割合を変更可能な変更手段を備えることをその要旨とする。
この構成では、所定割合を変更可能な変更手段を備えたことで、所定割合を変更することができる。また、例えば変更手段を使用者が使用することで所望の割合に設定することもできる。
【００１５】
請求項７に記載の発明は、請求項１〜３のいずれか一項に記載の除電装置において、複数の操作スイッチを備え、複数の前記操作スイッチにそれぞれ対応する設定用電流値を記憶手段に記憶し、前記調整手段は、前記操作スイッチに対応する設定用電流値を前記記憶手段から読み出して前記基準電流値とすることをその要旨とする。
【００１６】
この構成では、複数の操作スイッチと、複数の前記操作スイッチにそれぞれ対応する設定用電流値を記憶する記憶手段とを備え、調整手段は、操作スイッチに対応する設定用電流値を記憶手段から読み出して基準電流値とした。これにより、例えば使用者が操作スイッチを押すことで、調整手段は記憶手段から基準電流値を適切に選択するため、その選択された基準電流値と測定電流値とを比較手段により比較することによって適切なメンテナンス時期を検知することができる。また、請求項３と組み合わせることでメンテナンス時期を報知することもできる。
【００１７】
請求項８に記載の発明は、請求項１〜３のいずれか一項に記載の除電装置において、操作スイッチの操作回数に対応する設定用電流値を記憶手段に記憶し、前記調整手段は、前記操作スイッチに対応する設定用電流値を前記記憶手段から読み出して前記基準電流値とすることをその要旨とする。
【００１８】
この構成では、操作スイッチの操作回数に対応する設定用電流値を記憶手段に記憶し、前記調整手段は、前記操作スイッチに対応する設定用電流値を前記記憶手段から読み出して前記基準電流値とした。これにより、例えば、使用者が操作スイッチを１回押すとその操作に対応して基準電流値が設定され、操作スイッチを２回押すとその操作に対応して基準電流値を設定することができるため、その操作に対応して設定された基準電流値と測定電流値とを比較手段により比較することによって適切なメンテナンス時期を検知することができる。また、請求項３と組み合わせることでメンテナンス時期を報知することもできる。
【発明の効果】
【００１９】
従って、上記記載の発明によれば、使用環境に変化が生じても適切なメンテナンス時期を検知することのできる除電装置を提供することができる。
【発明を実施するための最良の形態】
【００２０】
以下、本発明を具体化した一実施の形態を図面に従って説明する。
図１は、除電装置１０のブロック回路図である。除電装置１０は、帯電した集積回路等の除電対象物Ｗに正負のイオンを供給して、該除電対象物Ｗを電気的に中和するために用いられる。除電装置１０は交流電源１１に接続され、詳しくは交流電源１１が低圧側スイッチ１２を介して正極性の高電圧を生成する正高電圧生成回路１３に接続されるとともに、低圧側スイッチ１４を介して負極性の高電圧を生成する負高電圧生成回路１５に接続されている。
【００２１】
正高電圧生成回路１３は、低圧側スイッチ１２に接続されるトランス１３ａと、同トランス１３ａに接続される倍電圧整流回路１３ｂとから構成されている。トランス１３ａは、交流電源１１から印加された電圧を、その巻き数比に応じた電圧に昇圧して倍電圧整流回路１３ｂに出力する。そして、倍電圧整流回路１３ｂは、トランス１３ａにより昇圧された電圧を、正極性の直流電圧に整流するとともに所定の倍率（例えば、２倍）の電圧にして出力する。このようにして、正高電圧生成回路１３は、正極性の高電圧を出力するようになっている。同様に、負高電圧生成回路１５は、低圧側スイッチ１４に接続されるトランス１５ａと、同トランス１５ａに接続される倍電圧整流回路１５ｂを備えている。そして、負高電圧生成回路１５は、交流電源１１により印加される電圧をトランス１５ａにより昇圧して倍電圧整流回路１５ｂに出力し、倍電圧整流回路１５ｂにより負極性の直流電圧に整流するとともに所定の倍率の電圧にすることで、負極性の高電圧を出力するようになっている。尚、本実施の形態では、倍電圧整流回路１３ｂ，１５ｂは、所謂コッククロフト・ウォルトン型の倍電圧整流回路として構成されている。
【００２２】
正高電圧生成回路１３の出力端子は、高圧側スイッチ１６を介して放電針２０に接続されるとともに、負高電圧生成回路１５の出力端子は、高圧側スイッチ１７を介して放電針２０に接続されている。この放電針２０の先端側には、環状の対向電極２１が設けられており、この対向電極２１に円環状のノズル２２が着脱可能に設けられている。また、対向電極２１は電流検出用抵抗２３に接続したことで、該電流検出用抵抗２３を介してグランド２４に電流が流れる。本実施形態では、電流検出用抵抗２３に流れる電流のイオン電流値を計測している。尚、このイオン電流値は測定電流値に相当する。
【００２３】
高圧側スイッチ１６がオンすることで正高電圧生成回路１３により生成された正極性の高電圧が放電針２０に印加され、該放電針２０において正極性のイオンが生成される。高圧側スイッチ１７がオンすることで、負高電圧生成回路１５により生成された負極性の高電圧が放電針２０に印加され、該放電針２０において負極性のイオンが生成される。そして、放電針２０において生成されたイオンは、対向電極２１を介して除電対象物Ｗに供給されて、除電対象物Ｗの除電が行われる。
【００２４】
低圧側スイッチ１２，１４及び高圧側スイッチ１６，１７は、制御部３０と接続されており、該制御部３０からの制御信号Ｓにより、低圧側スイッチ１２及び高圧側スイッチ１６と、低圧側スイッチ１４及び高圧側スイッチ１７とが相補的にオンオフするようになっている。例えば、制御部３０の制御信号ＳがＨレベルの場合には、低圧側スイッチ１２及び高圧側スイッチ１６がオンするとともに、低圧側スイッチ１４及び高圧側スイッチ１７がオフして、放電針２０に正極性の高電圧が印加されるようになっている。一方、制御部３０の制御信号ＳがＬレベルの場合には、低圧側スイッチ１２及び高圧側スイッチ１６がオフするとともに、低圧側スイッチ１４及び高圧側スイッチ１７がオンして、放電針２０に負極性の高電圧が印加されるようになっている。そして、制御部３０は、その所定の周波数に応じて低圧側スイッチ１２，１４及び高圧側スイッチ１６，１７のオンオフを切り換えることで、正極性の高電圧と負極性の高電圧とを、放電針２０に対して指令周波数で交互に印加するようになっている。この交互の印加によって、正極性のイオンと負極性のイオンとが交互に除電対象物Ｗに供給されて除電が行われる。
【００２５】
次に、除電装置１０のメンテナンス時期について図１及び図２を利用して説明する。
図２（ａ）（ｂ）は、除電装置１０の使用時間に伴い生じるイオン電流値の低下を示す説明図である。図２（ａ）はノズル２２装着時を示したものであり、図２（ｂ）はノズル２２非装着時を示したものである。図２（ａ）（ｂ）の横軸は除電装置１０の使用時間を示し、縦軸はイオン電流値を示している。尚、図２（ａ）（ｂ）の縦軸は、いずれも同じスケールで示しており、図からもわかるように、ノズル２２装着時と非装着時とではイオン電流値は相対的にノズル２０装着時の方が大きい。また、図２（ａ）（ｂ）の横軸は、使用時間のｔ１とｔ２がほぼ同じになるようなスケールで示している。
【００２６】
図２（ａ）に示す時間ｔ＝０の時のイオン電流値は、ノズル２０装着時の除電装置１０を予め試験等を行い、それによって得られた電流値を１００％として示している。そして、ｔ＝０の時のイオン電流値を基にその電流値の７０％の電流値を基準電流値ＮＡとし、その基準電流値ＮＡはその時々のイオン電流値と比較することでメンテナンス時期を検知するために用いるものである。同様に、図２（ｂ）に示す時間ｔ＝０の時のイオン電流値は、ノズル２２非装着時の除電装置１０を予め試験等を行い、それによって得られた電流値を１００％として示している。そして、ｔ＝０の時のイオン電流値を基にその電流値の７０％の電流値を基準電流値ＮＮとし、その基準電流値ＮＮはその時々のイオン電流値と比較することでメンテナンス時期を検知するために用いるものである。尚、ノズル２２が装着時であっても非装着時あってもメンテナンス時期は、ほぼ同時期になるように設定している。基準電流値ＮＡ，ＮＮのいずれもｔ＝０におけるイオン電流値の７０％としたことで時間ｔ１≒ｔ２となるようになっており、ノズル２２が装着時と非装着時であってもメンテナンス時期は、略同時期となるようになっている。
【００２７】
上述した通り、ノズル２２の装着時と非装着時いずれにおいてもメンテナンス時期が略同時期になるように設定しており、ノズル２２の装着・非装着を使用者が制御部３０に接続されている操作器４２に設けられた操作スイッチ４２ａ，４２ｂのいずれか一方を選択することで可能としている。
【００２８】
図１に示す操作器４２に設けられた操作スイッチ４２ａが押されると、制御部３０はノズル２２が装着されていると判断する。そして、電流検出用抵抗２３に流れるイオン電流値を接点Ｘに接続された判定部４０にて計測するとともに、制御部３０では基準電流記憶部４１に記憶されている設定用電流値ＮＡＸを基準電流値ＮＡと設定し、判定部４０にてその基準電流値ＮＡと計測したイオン電流値とを比較する。イオン電流値が基準電流値ＮＡ以下（図２（ａ）中のｔ≧ｔ１）、即ち判定部４０にてメンテナンス時期であると検知した場合、判定部４０は制御部３０を介して該制御部３０に接続された報知装置４３によって表示による報知を行うことでメンテナンス時期を報知するようになっている。
【００２９】
操作スイッチ４２ｂが押されると、制御部３０はノズル２２が非装着であると判断する。そして、このイオン電流値を接点Ｘに接続された判定部４０にて計測するとともに、制御部３０では基準電流記憶部４１に記憶されている設定用電流値ＮＮＸを基準電流値ＮＮと設定し、判定部４０にてその基準電流値ＮＮと計測したイオン電流値とを比較する。イオン電流値が基準電流値ＮＮ以下（図２（ｂ）中のｔ≧ｔ２）、即ち判定部４０にてメンテナンス時期であると判定した場合、判定部４０は制御部３０を介して該制御部３０に接続された報知装置４３によって表示による報知を行うことでメンテナンス時期を報知するようになっている。
【００３０】
即ち、本実施の形態における除電装置１０は、ノズル２２の装着・非装着が操作器４２の操作スイッチ４２ａ，４２ｂにて選択された場合、その選択に応じて制御部３０が基準電流記憶部４１に記憶されている設定用電流値ＮＡＸ，ＮＮＸから基準電流値ＮＡ，ＮＮを設定する。そして、ノズル２２装着時は基準電流値ＮＡとイオン電流値との比較が判定部４０にて行われ、ノズル２２非装着時は基準電流値ＮＮとイオン電流値との比較が判定部４０にて行われる。これにより、ノズル２２装着時と非装着時のいずれの場合であっても、メンテナンス時期を適切に検知することができる。そして、イオン電流値が基準電流値ＮＮ，ＮＡ以下の場合に制御部３０に接続された報知装置４３によって表示による報知が行われることで、使用者に対してメンテナンス時期を報知することができる。
【００３１】
次に、本実施の形態の特徴的な作用効果を記載する。
（１）対向電極２１とグランド２４との間に流れる電流のイオン電流値と基準レベルである基準電流値ＮＮ，ＮＡとの比較を行う判定部４０と、放電針２０の先端側にある対向電極２１に直接且つ着脱可能に設けられたノズル２２の装着の有無によって基準電流値ＮＡ，ＮＮを調整する制御部３０とを備えた。これにより、ノズル２２を装着時は基準電流値ＮＡに調整可能であり、ノズル２２非装着時は基準電流値ＮＮに調整可能であるため、ノズル２２の装着の有無によって異なるイオン電流値に対応することが可能となる。また、ノズル２２の装着時と非装着時とで、いずれもメンテナンス時期が略同時期（ｔ１≒ｔ２）となるように基準電流値ＮＮ，ＮＡを設定したことで、判定部４０にて基準電流値ＮＡ，ＮＮとイオン電流値とを比較することによってノズル２２の装着時と非装着時といった使用環境の変更があった場合であっても適切にメンテナンス時期を検知することができる。
【００３２】
（２）判定部４０によりノズル２２装着時のイオン電流値が基準電流値ＮＡ以下若しくは判定部によりノズル２２非装着時のイオン電流値が基準電流値ＮＮ以下と判定した場合に、制御部３０に接続された報知装置４３によって表示による報知が行われることで使用者に対してメンテナンス時期を報知することができる。
【００３３】
（３）操作器４２に設けられた操作スイッチ４２ａ，４２ｂと、その操作スイッチ４２ａ，４２ｂにそれぞれ対応する設定用電流値ＮＡＸ，ＮＮＸを記憶する基準電流記憶部４１とを備え、制御部３０は、操作スイッチ４２ａ，４２ｂに対応する設定用電流値ＮＡＸ，ＮＮＸの一方を基準電流記憶部４１から読み出して基準電流値ＮＡ，ＮＮとした。これにより、使用者が操作スイッチ４２ａを押した場合は、制御部３０は設定用電流値ＮＡＸを基準電流記憶部４１から読み出して基準電流値ＮＡと設定する。また、使用者が操作スイッチ４２ｂを押した場合は、制御部３０は設定用電流値ＮＮＸを基準電流記憶部４１から読み出して基準電流値ＮＡと設定する。その選択された基準電流値ＮＡ，ＮＮのいずれか一方と判定部４０が計測したイオン電流値とを判定部４０にて比較することによって適切なメンテナンス時期を検知することができる。
【００３４】
尚、本発明の実施の形態は、以下のように変更してもよい。
・上記実施の形態では、ノズル２２の有無によって基準電流値ＮＮ，ＮＡを切り換えているが、こうした構成に限らず、ノズルの形状や種類によっても基準電流値を設定してもよい。
【００３５】
・上記実施の形態では、基準電流値ＮＮ，ＮＡは使用時間ｔ＝０における試験によって得られたイオン電流値の７０％の電流値として設定しているが、数値はこれに限らない。また、使用時間ｔ＝０ではなく、所定時間（例えば１秒間）に流れるイオン電流の平均値を基に基準電流値を決定してもよい。
【００３６】
・上記実施の形態では、基準電流値ＮＮ，ＮＡは何れもイオン電流値の７０％の電流値として設定しているが、こうした構成に限らず、例えばノズル２２の装着時の基準電流値はイオン電流値の５０％として、ノズル２２の非装着時の基準電流値はイオン電流値の８０％というようにしてもよい。要は、ノズル２２の装着時と非装着時のメンテナンス時期が何れも略同じであればよいのである。
【００３７】
・上記実施の形態では、予め試験等によって基準電流値ＮＮ，ＮＡを決定しているが、こうした構成に限らない。例えば、操作器４２に操作スイッチ４２ａ，４２ｂとは異なるスイッチを設けて、該スイッチが押された場合にイオン電流値を計測してその値の所定割合（例えば７０％等）を基準電流値として使用してもよい。また、例えば操作器４２に新たに数値設定することが可能なスイッチを設けて、そのスイッチを操作することによって所定割合を使用者が所望する割合に変更可能にしてもよい。
【００３８】
・上記実施の形態では、判定部４０によってイオン電流値が基準電流値ＮＡ，ＮＮ以下かどうかの比較を行っているが、こうした構成に限らず、基準電流値ＮＡ，ＮＮとは異なる基準電流値を電流検出用抵抗２３に流れるイオン電流値よりも大きい値として設定してもよい。これにより、除電装置１０のイオン放出量が異常に高い等といった場合を検出することができる。
【００３９】
・上記実施の形態では、報知装置４３によって表示による報知を行っているが、こうした構成に限らない。例えば、ブザーなどによって音を発生させてメンテナンス時期の報知を行ってもよい。
【００４０】
・上記実施の形態では、交流電源１１を用いて放電針２０と対向電極２１との間に正極性のイオンと負極性のイオンを交互に発生させているが、こうした構成に限らず、例えば直流電源と２つの放電針とを用いて一方の放電針から正極性のイオンを発生させるとともに他方の放電針から負極性のイオンを発生させるようにしてもよい。
【００４１】
・上記実施の形態では、ノズル２２を対向電極２１に直接且つ着脱可能に設けているが、こうした構成に限らず対向電極２１以外にノズル２２を接続してもよい。
・上記実施の形態では、操作器４２に設けられた操作スイッチ４２ａ，４２ｂによってノズル２２の装着、非装着に応じて使用者が選択しているが、こうした構成に限らない。例えば、ノズル２２の装着、非装着を検出するセンサ（例えば光電センサ等）を用いてノズル２２の装着、非装着を検知して自動的に基準電流値ＮＡ，ＮＮのいずれか一方が選択されるようにしてもよい。
【００４２】
・上記実施の形態では、複数の操作スイッチ４２ａ，４２ｂを選択することによって基準電流値を決定しているが、こうした構成に限らず、例えば操作スイッチの操作回数によって基準電流値を決定してもよい。上記実施の形態に適用するならば、例えば単一の操作スイッチが一回押された場合は基準電流値ＮＮが設定され、二回押された場合は基準電流値ＮＡが設定されるようになるといったことが考えられる。
【００４３】
・上記実施の形態では、ノズル２２の装着時と非装着時といった使用環境の変更があった場合に、基準電流値ＮＡ，ＮＮを変更するようにしているが、こうした構成に限らず、他の使用環境の変更によっても基準電流値を変更するようにしてもよい。
【図面の簡単な説明】
【００４４】
【図１】本実施の形態における除電装置の電気的構成を示すブロック図である。
【図２】（ａ）（ｂ）本実施の形態における除電装置のメンテナンス時期を説明するための説明図である。
【符号の説明】
【００４５】
１０…除電装置、２０…放電針、２１…対向電極、２２…ノズル、２４…グランド（グランドライン）、３０…制御部（調整手段）、４０…判定部（比較手段）、４１…基準電流記憶部（記憶手段）、４２…操作器（操作手段）、４２ａ…操作スイッチ、４２ｂ…操作スイッチ、４３…報知装置（報知手段）、ＮＡ…基準電流値、ＮＡＸ…設定用電流値、ＮＮ…基準電流値、ＮＮＸ…設定用電流値、Ｗ…除電対象物。
【図１】
2009110814.tif 000003
【図２】
2009110814.tif 000004